【手続補正書】
【提出日】平成21年3月26日(2009.3.26)
【手続補正１】
【補正対象書類名】特許請求の範囲
【補正対象項目名】全文
【補正方法】変更
【補正の内容】
【特許請求の範囲】
【請求項１】
商品の在庫管理を行う在庫管理システムにおいて、在庫商品を補充するための在庫計算における基準在庫量である定量値を管理する定量値管理装置であって、
一定期間ごとに、外部から前記定量値を取得し、取得された前記定量値の１つである最大在庫の履歴と、顧客の注文に対して直ちに納品できた割合を示す即納率の履歴とにより、取得された前記定量値の１つである当該期間の最大在庫が過去の最大在庫から減少しているか否かを比較するとともに、取得された前記定量値を用いて算出された当該期間の即納率が過去の即納率以上か否かを比較し、前記当該期間の最大在庫が前記過去の最大在庫から減少しており、かつ、前記当該期間の即納率が過去の即納率以上である場合、取得された前記定量値の値が妥当であると判定し、前記定量値が妥当であると判定された商品につき、前記定量値を外部の在庫補充量算出装置に送信することを決定する妥当性判定手段と、
前記妥当性判定手段により妥当であると判定された前記定量値を、前記在庫補充量算出装置に送信する定量値送信手段と
を備えることを特徴とする定量値管理装置。
【請求項２】
前記定量値管理装置は、さらに、
前記妥当性判定手段により妥当でないと判定された前記定量値に対する値の変更の入力または前記定量値の送信の指示を示す入力をユーザから受け付ける入力手段とを備え、
前記妥当性判断手段は、妥当でないと判定した商品につき、前記定量値の送信を保留して、前記入力手段で前記定量値に対する値の変更の入力が受け付けられた場合は前記定量値の値を変更し、前記定量値送信の指示の入力が受け付けられた場合は保留されている前記定量値の送信を決定する
ことを特徴とする請求項１記載の定量値管理装置。
【請求項３】
前記妥当性判定手段は、過去に送信された商品ごとの前記定量値の履歴を蓄積する定量値履歴蓄積部を備え、
前記妥当性判定手段は、蓄積されている前記定量値の１つであり在庫の補充を発注するタイミングを示す発注点と、前記定量値の１つである最大在庫と、前記即納率と、外部から取得した需要予測と販売実績との誤差である予実誤差とが、（最大在庫）＝（発注点）＋（補充間隔日数）×（需要予測）として、
（条件１）今期の即納率が前期の即納率以上であり、かつ、最大在庫が前期から減っている
（条件２）今期の即納率が前期の即納率以上であり、かつ、最大在庫が前期から増加しているが、あらかじめ定められた増加幅の中に収まっている
（条件３）需要予測と販売実績との予実誤差があらかじめ定められた割合に収まっている
のいずれかの条件を満足する場合に、当該商品の前記定量値を妥当であると判定する
ことを特徴とする請求項１記載の定量値管理装置。
【請求項４】
前記定量値管理装置は、さらに、
前記最大在庫と前記発注点との平均値で与えられる理論在庫を算出する理論在庫算出手段と、
前記定量値の妥当性の判断に、前記最大在庫の値を用いるか、前記最大在庫の代わりに前記理論在庫の値を用いるかを商品ごとに示したテーブルを格納するテーブル格納手段とを備え、
前記妥当性判定手段は、前記テーブルに前記理論在庫を用いることが示されている場合に、前記最大在庫の値を前記理論在庫の値で置き換えて、前記条件１および前記条件２が満足されるか否かを判定する
ことを特徴とする請求項３記載の定量値管理装置。
【請求項５】
前記定量値管理装置は、さらに、
前記最大在庫と、前記定量値の１つである発注点との平均値で与えられる理論在庫を算出する理論在庫算出手段を備え、
前記妥当性判定手段は、蓄積されている前記即納率の推移の傾向から次期の即納率を予測し、予測した前記即納率とあらかじめ定められた目標最低限即納率とを比較し、予測した即納率が目標最低限即納率以上であれば、最大在庫の値をそのまま用いて、前記条件１および前記条件２が満足されるか否かを判定し、予測した即納率が目標最低限即納率未満であれば、前記最大在庫の値を、前記理論在庫の値で置き換えて、前記条件１および前記条件２が満足されるか否かを判定する
ことを特徴とする請求項３記載の定量値管理装置。
【請求項６】
前記定量値管理装置は、さらに、
過去の一定期間に蓄積された日別販売実績を用いて、その期間の上限値、下限値および平均値を算出し、さらに、前記上限値と前記平均値との差分で示される上限ぶれと、前記下限値と前記平均値との差分で示される下限ぶれとを算出するばらつき算出手段と、
算出された前記下限ぶれと前記上限ぶれとを比較して、前記上限ぶれの値が前記下限ぶれの値以上である場合、在庫の補充を発注してから納品されるまでの在庫切れを防ぐための余分な在庫である安全在庫の値を前記上限値に補正し、前記最大在庫および前記発注点の値を、それぞれに前記上限値と元の前記安全在庫の値との差分を加算した値に補正する前記基準在庫情報補正手段とを備え、
前記妥当性判定手段は、補正された前記最大在庫および前記発注点を用いて、前記定量値の妥当性を判定する
ことを特徴とする請求項３記載の定量値管理装置。
【請求項７】
商品の在庫管理を行う在庫管理システムにおいて、在庫商品を補充するための在庫計算における基準在庫量である定量値を定量値管理装置が管理する定量値管理方法であって、
前記定量値管理装置が、一定期間ごとに、外部から前記定量値を取得し、取得された前記定量値の１つである最大在庫の履歴と、顧客の注文に対して直ちに納品できた割合を示す即納率の履歴とにより、取得された前記定量値の１つである当該期間の最大在庫が過去の最大在庫から減少しているか否かを比較するとともに、取得された前記定量値を用いて算出された当該期間の即納率が過去の即納率以上か否かを比較し、前記当該期間の最大在庫が前記過去の最大在庫から減少しており、かつ、前記当該期間の即納率が過去の即納率以上である場合、取得された前記定量値の値が妥当であると判定し、前記定量値が妥当であると判定された商品につき、前記定量値を外部の在庫補充量算出装置に送信することを決定する妥当性判定ステップと、
前記妥当性判定ステップにより妥当であると判定された前記定量値を、前記定量値管理装置が、前記在庫補充量算出装置に送信する定量値送信ステップと
を含むことを特徴とする定量値管理方法。
【請求項８】
商品の在庫管理を行う在庫管理システムにおいて、在庫商品を補充するための在庫計算における基準在庫量である定量値を管理する定量値管理装置のためのプログラムであって、
一定期間ごとに、外部から前記定量値を取得し、取得された前記定量値の１つである最大在庫の履歴と、顧客の注文に対して直ちに納品できた割合を示す即納率の履歴とにより、取得された前記定量値の１つである当該期間の最大在庫が過去の最大在庫から減少しているか否かを比較するとともに、取得された前記定量値を用いて算出された当該期間の即納率が過去の即納率以上か否かを比較し、前記当該期間の最大在庫が前記過去の最大在庫から減少しており、かつ、前記当該期間の即納率が過去の即納率以上である場合、取得された前記定量値の値が妥当であると判定し、前記定量値が妥当であると判定された商品につき、前記定量値を外部の在庫補充量算出装置に送信することを決定する妥当性判定ステップと、前記妥当性判定ステップにより妥当であると判定された前記定量値を、前記在庫補充量算出装置に送信する定量値送信ステップとをコンピュータに実行させるプログラム。
【手続補正２】
【補正対象書類名】明細書
【補正対象項目名】０００７
【補正方法】変更
【補正の内容】
【０００７】
上記目的を達成するために、本発明の定量値管理装置は、商品の在庫管理を行う在庫管理システムにおいて、在庫商品を補充するための在庫計算における基準在庫量である定量値を管理する定量値管理装置であって、一定期間ごとに、外部から前記定量値を取得し、取得された前記定量値の１つである最大在庫の履歴と、顧客の注文に対して直ちに納品できた割合を示す即納率の履歴とにより、取得された前記定量値の１つである当該期間の最大在庫が過去の最大在庫から減少しているか否かを比較するとともに、取得された前記定量値を用いて算出された当該期間の即納率が過去の即納率以上か否かを比較し、前記当該期間の最大在庫が前記過去の最大在庫から減少しており、かつ、前記当該期間の即納率が過去の即納率以上である場合、取得された前記定量値の値が妥当であると判定し、前記定量値が妥当であると判定された商品につき、前記定量値を外部の在庫補充量算出装置に送信することを決定する妥当性判定手段と、前記妥当性判定手段により妥当であると判定された前記定量値を、前記在庫補充量算出装置に送信する定量値送信手段とを備えることを特徴とする。
【手続補正３】
【補正対象書類名】明細書
【補正対象項目名】００２９
【補正方法】変更
【補正の内容】
【００２９】
妥当性判定部２１１は、「一定期間ごとに、外部から前記定量値を取得し、取得された前記定量値の１つである最大在庫の履歴と、顧客の注文に対して直ちに納品できた割合を示す即納率の履歴とにより、取得された前記定量値の１つである当該期間の最大在庫が過去の最大在庫から減少しているか否かを比較するとともに、取得された前記定量値を用いて算出された当該期間の即納率が過去の即納率以上か否かを比較し、前記当該期間の最大在庫が前記過去の最大在庫から減少しており、かつ、前記当該期間の即納率が過去の即納率以上である場合、取得された前記定量値の値が妥当であると判定し、前記定量値が妥当であると判定された商品につき、前記定量値を外部の在庫補充量算出装置に送信することを決定する」機能を備える。妥当性判定部２１１は、定量値履歴蓄積部２１８、基準在庫情報読出部２２１、定量値書込部２２３、増加幅比較部２２４、予実誤差比較部２２５、即納率比較部２２６、即納率入出力部２２７、予測情報読出部２２８、販売実績読出部２２９、許容増加幅テーブル２３０、許容誤差テーブル２３１、フラグテーブル読出部２３２および理論在庫読出部２３３を備える。